(57)【要約】【課題】  ハードディスクへの記録処理を効率的に且つ短時間で完了させることができると共に、システム設計における自由度を向上させることが可能な情報記録装置等を提供する。【解決手段】  プレーヤにおいて再生されて出力されてきた音楽情報Ｓpをハードディスクに記録するレコーダＲにおいて、取得した音楽情報Ｓpを一時的に蓄積するバッファメモリ２と、蓄積された音楽情報Ｓpをバッファメモリ２から読み出してハードディスクに記録すると共に、バッファメモリ２における音楽情報Ｓpの蓄積量に応じて、プレーヤにおける音楽情報Ｓpの再生速度を制御するＣＰＵ３と、備える。【選択図】  図３
2007226849.tif 000002
【特許請求の範囲】
【請求項１】
外部から取得した情報を記録媒体に記録する情報記録装置において、
前記取得した情報を一時的に蓄積するバッファ手段と、
前記蓄積された情報を前記バッファ手段から読み出して前記記録媒体に記録する記録手段と、
前記バッファ手段における前記情報の蓄積量に応じて、前記情報の前記外部からの取得速度を制御する速度制御手段と、
を備えることを特徴とする情報記録装置。
【請求項２】
請求項１に記載の情報記録装置装置において、
前記情報は前記外部にある情報再生装置により他の記録媒体から再生されて出力されてきたものであると共に、
前記速度制御手段は、前記蓄積量に応じて前記情報再生装置からの前記情報の出力速度を変更させる変更情報を前記情報再生装置に出力することにより前記取得速度を制御することを特徴とする情報記録装置。
【請求項３】
請求項２に記載の情報再生装置であって、
前記変更情報を取得する取得手段と、
前記取得した変更情報の内容に基づいて前記他の記録媒体からの前記情報の再生速度を変更する速度変更手段と、
を備えることを特徴とする情報再生装置。
【請求項４】
請求項３に記載の情報再生装置において、
前記他の記録媒体は光ディスクであると共に、
前記速度変更手段は、当該光ディスクの回転速度を変更することにより前記再生速度を変更することを特徴とする情報再生装置。
【請求項５】
請求項３に記載の情報再生装置において、
前記速度変更手段は、前記他の記録媒体から前記情報を検出して復号する場合における復号速度を変更することにより前記再生速度を変更することを特徴とする情報再生装置。
【請求項６】
外部から取得した情報を記録媒体に記録する情報記録装置において実行される情報記録方法において、
前記取得した情報を一時的にバッファ手段に蓄積するバッファ工程と、
前記蓄積された情報を前記バッファ手段から読み出して前記記録媒体に記録する記録工程と、
前記バッファ手段における前記情報の蓄積量に応じて、前記情報の前記外部からの取得速度を制御する速度制御工程と、
を備えることを特徴とする情報記録方法。
【請求項７】
他の記録媒体から前記情報を再生し、請求項６に記載の情報記録装置に対して出力する情報再生装置において実行される情報再生方法であって、
前記変更情報を取得する取得工程と、
前記取得した変更情報の内容に基づいて前記他の記録媒体からの前記情報の再生速度を変更する速度変更工程と、
を備えることを特徴とする情報再生方法。
【請求項８】
外部から取得した情報を記録媒体に記録する情報記録装置に含まれる記録コンピュータを、
前記取得した情報を一時的に蓄積するバッファ手段、
前記蓄積された情報を前記バッファ手段から読み出して前記記録媒体に記録する記録手段、及び、
前記バッファ手段における前記情報の蓄積量に応じて、前記情報の前記外部からの取得速度を制御する速度制御手段、
として機能させることを特徴とする記録制御プログラム。
【請求項９】
他の記録媒体から前記情報を再生し、請求項８に記載の情報記録装置に対して出力する情報再生装置に含まれる再生コンピュータを、
前記変更情報を取得する取得手段、
前記取得した変更情報の内容に基づいて前記他の記録媒体からの前記情報の再生速度を変更する速度変更手段、
として機能させることを特徴とする再生制御プログラム。
【請求項１０】
請求項８に記載の記録制御プログラムが、前記記録コンピュータにおいて読取可能に記録されていることを特徴とする情報記録媒体。
【請求項１１】
請求項９に記載の再生制御プログラムが、前記再生コンピュータにおいて読取可能に記録されていることを特徴とする情報記録媒体。
【発明の詳細な説明】
【技術分野】
【０００１】
本願は、情報記録装置及び情報記録方法、情報再生装置及び情報再生方法、記録制御プログラム及び再生制御プログラム並びに情報記録媒体の技術分野に属し、より詳細には、情報再生装置により再生された情報を記録する情報記録装置及び情報記録方法、並びに当該情報再生装置及び情報再生方法、当該情報の記録処理に用いられる記録制御プログラム、当該情報の再生処理に用いられる再生制御プログラム並びにこれらの制御プログラムを記録した情報記録媒体の技術分野に属する。
【背景技術】
【０００２】
従来、例えばＣＤ（Compact Disk）プレーヤによりＣＤから再生された音楽をハードディスク（以下、単にＨＤと称する）等の他の記録媒体に記録する場合、その記録を行うレコーダ内に設けられたバッファメモリに一時的に当該音楽に対応する音楽情報を蓄積し、その後に当該バッファメモリからの読出タイミングを調整しつつ当該ＨＤにその音楽情報を記録することが一般に行われている。
【０００３】
一方、例えば上記ＨＤを内蔵したカーナビゲーション装置においては、案内処理と上記音楽情報のＨＤへの記録処理を一のＣＰＵで行うように構成する場合が多いが、このとき、従来では、当該ＣＰＵの機能が案内処理に多く割かれるような場合には、上記バッファメモリが溢れてしまう場合があり、このようなときには、ＨＤへの記録処理を一時的に停止し、その停止していたときに記録していた音楽情報全体又はその停止した位置から記録し直す構成とされていた。
【０００４】
他方、上記したＣＤプレーヤとレコーダを共に含む記録再生システムを設計する場合、従来では、当該ＣＤプレーヤにおける再生速度、当該レコーダにおける復号処理速度及び当該レコーダにおけるバッファメモリにおける記憶容量の三つを少なくとも決定してからシステム全体を設計する必要があった。
【発明の開示】
【発明が解決しようとする課題】
【０００５】
しかしながら、上述した従来の記録再生システムの構成によると、先ずバッファメモリが溢れてしまった場合には、ＨＤへの記録動作を停止し、次に、その停止時の音楽情報を再度ＣＤから読み出して記録済みの部分と繋ぎ合わせる処理が必要となるという問題点があった。
【０００６】
また、同じくバッファメモリが溢れてしまった場合において、その音楽情報の最初からまた記録をやり直さなければならないという問題点もあった。
【０００７】
更に、記録再生システムの設計に当たっては、上述した如くＣＤプレーヤにおける再生速度等を決めた後でないと全体のシステム設計ができず、結果として設計上の自由度が極めて低いという問題点があった。
【０００８】
そこで、本願は上記の各問題点に鑑みて為されたもので、その目的の一例は、ＨＤへの記録処理を効率的に且つ短時間で完了させることができると共に、システム設計における自由度を向上させることが可能な情報記録装置及び情報記録方法、並びに情報再生装置及び情報再生方法、当該情報の記録処理に用いられる記録制御プログラム、当該情報の再生処理に用いられる再生制御プログラム並びにこれらの制御プログラムを記録した情報記録媒体を提供することにある。
【課題を解決するための手段】
【０００９】
上記の課題を解決するために、請求項１に記載の発明は、外部から取得した情報を記録媒体に記録する情報記録装置において、前記取得した情報を一時的に蓄積するバッファメモリ等のバッファ手段と、前記蓄積された情報を前記バッファ手段から読み出して前記記録媒体に記録するＨＤＤ等の記録手段と、前記バッファ手段における前記情報の蓄積量に応じて、前記情報の前記外部からの取得速度を制御するＣＰＵ等の速度制御手段と、を備える。
【００１０】
上記の課題を解決するために、請求項３に記載の発明は、請求項２に記載の情報再生装置であって、前記変更情報を取得するＣＰＵ等の取得手段と、前記取得した変更情報の内容に基づいて前記他の記録媒体からの前記情報の再生速度を変更するＣＰＵ等の速度変更手段と、を備える。
【００１１】
上記の課題を解決するために、請求項６に記載の発明は、外部から取得した情報を記録媒体に記録する情報記録装置において実行される情報記録方法において、前記取得した情報を一時的にバッファメモリ等のバッファ手段に蓄積するバッファ工程と、前記蓄積された情報を前記バッファ手段から読み出して前記記録媒体に記録する記録工程と、前記バッファ手段における前記情報の蓄積量に応じて、前記情報の前記外部からの取得速度を制御する速度制御工程と、を備える。
【００１２】
上記の課題を解決するために、請求項７に記載の発明は、他の記録媒体から前記情報を再生し、請求項６に記載の情報記録装置に対して出力する情報再生装置において実行される情報再生方法であって、前記変更情報を取得する取得工程と、前記取得した変更情報の内容に基づいて前記他の記録媒体からの前記情報の再生速度を変更する速度変更工程と、を備える。
【００１３】
上記の課題を解決するために、請求項８に記載の発明は、外部から取得した情報を記録媒体に記録する情報記録装置に含まれる記録コンピュータを、前記取得した情報を一時的に蓄積するバッファ手段、前記蓄積された情報を前記バッファ手段から読み出して前記記録媒体に記録する記録手段、及び、前記バッファ手段における前記情報の蓄積量に応じて、前記情報の前記外部からの取得速度を制御する速度制御手段、として機能させる。
【００１４】
上記の課題を解決するために、請求項９に記載の発明は、他の記録媒体から前記情報を再生し、請求項８に記載の情報記録装置に対して出力する情報再生装置に含まれる再生コンピュータを、前記変更情報を取得する取得手段、前記取得した変更情報の内容に基づいて前記他の記録媒体からの前記情報の再生速度を変更する速度変更手段、として機能させる。
【００１５】
上記の課題を解決するために、請求項１０に記載の発明は、請求項８に記載の記録制御プログラムが、前記記録コンピュータにおいて読取可能に記録されている。
【００１６】
上記の課題を解決するために、請求項１１に記載の発明は、請求項９に記載の再生制御プログラムが、前記再生コンピュータにおいて読取可能に記録されている。
【発明を実施するための最良の形態】
【００１７】
次に、本願を実施するための最良の形態について、図１乃至図４に基づいて説明する。なお、以下に説明する実施形態は、ＣＤ等の光ディスクから音楽情報を再生し、これをハードディスクに複写する処理を行う情報記録再生システムに対して本願を適用した場合の実施の形態である。
【００１８】
また、図１は実施形態に係る情報記録再生システムの概要構成を示すブロック図であり、図２は当該情報記録再生システムを構成するプレーヤの概要構成を示すブロック図であり、図３は当該情報記録再生システムを構成するレコーダの概要構成を示すブロック図であり、図４は実施形態に係る情報記録処理を示すフローチャートである。
【００１９】
初めに、実施形態に係る情報記録再生システムの全体構成を、図１を用いて説明する。
【００２０】
図１に示すように、実施形態に係る情報記録再生システムＳは、情報再生装置としてのプレーヤＰと、情報記録装置としてのレコーダＲと、これらを接続するバスＢ及びＣと、から構成されている。
【００２１】
この構成において、プレーヤＰは、後述する光ディスクに記録されている音楽情報をレコーダＲから指定される転送レートで再生し、バスＢを介してレコーダＲに出力する。
【００２２】
これにより、レコーダＲは、バスＢを介して取得した音楽情報を後述するＨＤに蓄積・記録する。これに加えて、レコーダＲは、プレーヤＰからの音楽情報の転送時における転送レートを指定するためのレート制御情報を生成し、バスＣを介して当該レート制御情報をプレーヤＰに出力する。
【００２３】
次に、上記プレーヤＰの細部構成について、図２を用いて説明する。
【００２４】
図２に示すように、実施形態に係るプレーヤＰは、上記光ディスクＤＫが回転可能に固定されているスピンドルモータ１０と、ピックアップ１１と、増幅部１２と、復号部１３と、取得手段及び速度変更手段としてのＣＰＵ１４と、サーボ制御部１５と、操作部１６と、ディスプレイ１７と、により構成されている。
【００２５】
この構成において、スピンドルモータ１０は、サーボ制御部１５からのスピンドルサーボ制御信号Ｓcsにより示される回転数により光ディスクＤＫを回転させる。
【００２６】
そして、ピックアップは、情報再生用の一定強度の光ビームＢｍを光ディスクＤＫに照射し、光ディスクＤＫからのその反射光に基づき、光ディスクＤＫに記録されていた音楽情報に対応する検出信号Ｓppを生成して増幅部１２へ出力する。
【００２７】
これにより、増幅部１２は、当該検出信号Ｓppを予め設定された増幅率により増幅し、増幅信号Ｓampとして復号部１３へ出力する。また、増幅部１２は、これと並行して後述するトラッキングサーボ制御及びフォーカスサーボ制御に供させるためのエラー信号Ｓeを検出信号Ｓppから生成し、サーボ制御部１５へ出力する。このとき、当該エラー信号Ｓeには、光ビームＢの集光位置の光ディスクＤＫにおける図示しない情報記録面に対する垂直な方向の位置ずれを示すフォーカスエラー信号と、当該集光位置の、再生すべき音楽情報が記録されている情報記録面上の記録トラックからの当該情報記録面に平行な方向の位置ずれを示すトラッキングエラー信号と、が少なくとも含まれている。
【００２８】
そして、復号部１３は、ＣＰＵ１４からの制御信号Ｓdcに基づき、増幅信号Ｓampに対して予め設定された復号処理を施し、上記音楽情報Ｓpとして上記バスＢを介してレコーダＲへ出力する。
【００２９】
一方、ＣＰＵ１４には、レコーダＲからバスＣを介して送信されてくる上記レート制御情報Ｓspが入力されている。
【００３０】
これにより、ＣＰＵ１４は、当該レート制御情報Ｓspにより示される転送レートにより上記音楽情報ＳpがレコーダＲに向けて出力されるように光ディスクＤＫを回転させるべく、サーボ制御部１５にサーボ制御信号Ｓscを出力する。これと並行して、ＣＰＵ１４は、上記復号部１３における復号処理を制御すべく上記制御信号Ｓdcを生成して当該復号部１３へ出力する。
【００３１】
そして、サーボ制御部１５は、上記レート制御情報Ｓspにより示される転送レートに対応して光ディスクＤＫの回転数を制御すべく、上記スピンドルサーボ制御信号Ｓscを生成して上記スピンドルモータ１０へ出力する。これにより、上記光ディスクＤＫが上記転送レートに対応した回転数で回転されることとなる。
【００３２】
これと並行して、サーボ制御部１５は、上記エラー信号Ｓeに基づき、光ビームＢの集光位置の、光ディスクＤＫにおける図示しない情報記録面に垂直な方向の位置と平行な方向の位置とを制御するためのピックアップサーボ制御信号Ｓcpを生成してピックアップ１１へ出力する。
【００３３】
そして、上記ピックアップ１１は、ピックアップサーボ制御信号Ｓcpに基づいて、光ビームＢの集光位置の光ディスクＤＫにおける図示しない情報記録面に対する垂直な方向の位置を制御するフォーカスエラーサーボ制御と、当該集光位置の上記記録トラックからの情報記録面に平行な方向の位置ずれを示すトラッキングサーボ制御と、を、夫々に対応する図示しないアクチュエータを用いて実行する。
【００３４】
他方、上記各構成部材におけるプレーヤＰとしての動作を実行させるための操作は、操作部１６を用いて使用者により実行され、当該操作部１６はその操作に対応する操作信号Ｓopを生成してＣＰＵ１４へ出力する。そして、ＣＰＵ１４は、当該操作信号Ｓopに基づいてプレーヤＰを構成する上記各構成部材を統括制御する。このとき、当該プレーヤＰとしての動作状態は、ＣＰＵ１４から出力される表示信号Ｓdpに基づいて、例えば液晶ディスプレイ等よりなるディスプレイ１７上に表示される。
【００３５】
次に、上記レコーダＲの細部構成について、図３を用いて説明する。
【００３６】
図３に示すように、実施形態に係るレコーダＲは、圧縮処理部１Ａ及び伸張処理部１Ｂを含むＤＳＰ（Digital Signal Processor）１と、バッファ手段としてのバッファメモリ２と、速度制御手段としてのＣＰＵ３と、図示しない不揮発性メモリとしての例えばＨＤを内蔵する記録手段としてのＨＤＤ（Hard Disk Drive）４と、揮発性のメモリ５と、Ｄ／Ａ（Digital/Analog）コンバータ６と、スピーカ７と、操作部８と、ディスプレイ９と、により構成されている。このとき、バッファメモリ２は、入力された情報から順に出力されるＦＩＦＯ（First In First Out）方式のバッファメモリであり、例えば１６ビットの揮発性メモリが１２８段直列に接続された構成とされている。
【００３７】
この構成において、プレーヤＰからバスＢを介して得られた音楽情報Ｓpは、ＤＳＰ１内の圧縮処理部１Ａにおいて予め設定された圧縮方式（例えば、ＭＰＥＧ（Moving Picture Experts Group）方式等の圧縮方式）に基づいて圧縮符号化され、圧縮音楽情報Ｓpbとしてバッファメモリ２へ出力される。
【００３８】
そして、バッファメモリ２は、ＦＩＦＯ方式により当該圧縮音楽情報Ｓpbを順次蓄積し、ＣＰＵ３からの要請に応じたタイミングで蓄積した順を維持しつつＣＰＵ３へ出力する。このとき、バッファメモリ２は、ＣＰＵ３から要請に応じたタイミングで当該バッファメモリ２における圧縮音楽情報Ｓpbの総蓄積量を示す蓄積量情報Ｓckを当該ＣＰＵ３へ出力する。
【００３９】
これにより、ＣＰＵ３は、当該圧縮音楽情報ＳpbをそのままＨＤＤ４へ出力し、予め設定されている記録フォーマットに則って当該ＨＤＤ４内のＨＤに記憶させる。これに加えてＣＰＵ３は、上記蓄積量情報Ｓckに基づいてバッファメモリ２内の総蓄積量を確認し、プレーヤＰからの上記音楽情報Ｓpの転送レートを制御するための上記レート制御情報Ｓspを生成して後述するタイミングでプレーヤＰに出力する。
【００４０】
次に、ＨＤに蓄積・記憶されている圧縮音楽情報Ｓpbを再生する際には、先ずＣＰＵ３がＨＤＤ４から再生が所望される圧縮音楽情報Ｓpbを読み出し、これをＤＳＰ１内の伸張処理部１Ｂへ出力する。
【００４１】
そして、伸張処理部１Ｂは、当該出力されてきた圧縮音楽情報Ｓpbを上記圧縮処理部１Ａにおける圧縮方式に対応する解凍方式（復号方式）により伸張し、元の音楽情報ＳpとしてＤ／Ａコンバータ６へ出力する。
【００４２】
これにより、Ｄ／Ａコンバータ６は、当該音楽情報Ｓpをアナログ化し、出力信号Ｓoutとしてスピーカ７に出力し、スピーカ７は、当該出力信号Ｓoutに基づく音を放音する。
【００４３】
このとき、上記各構成部材におけるレコーダＲとしての動作を実行させるための操作は、操作部８を用いて使用者により実行され、当該操作部８はその操作に対応する操作信号Ｓopを生成してＣＰＵ３へ出力する。そして、ＣＰＵ３は、当該操作信号Ｓopに基づいてレコーダＲを構成する上記各構成部材を統括制御する。このとき、当該レコーダＲとしての動作状態は、ＣＰＵ３から出力される表示信号Ｓdpに基づいて、例えば液晶ディスプレイ等よりなるディスプレイ９上に表示される。また、上記ＣＰＵ３としての動作を実行するために必要な種々の情報は、メモリ情報Ｓmとしてメモリ５に出力されて一時的に記憶され、必要に応じて再度メモリ情報ＳmとしてＣＰＵ３により読み出され、当該動作に供される。
【００４４】
次に、上述した情報記録再生システムＳにおいて実行される実施形態に係る記録動作について、具体的に図１乃至図４を用いて説明する。
【００４５】
実施形態に係る記録動作においては、初めに、プレーヤＰにおいて光ディスクＤＫが装填され、レコーダＲ内のＨＤへの記録が所望されている音楽の再生が開始されると（ステップＳ１）、バスＢをその再生された音楽に対応する音楽情報Ｓpを介してレコーダＲに転送し、圧縮処理部１Ａにおいて圧縮処理を行う（ステップＳ２）。そして、上記バッファメモリ２からの蓄積量情報Ｓckに基づいて当該バッファメモリ２内における圧縮音楽情報Ｓpbの蓄積量の監視を行いつつ（ステップＳ３）当該圧縮音楽情報Ｓpbのバッファメモリ２への蓄積を行う（ステップＳ４）。
【００４６】
次に、圧縮音楽情報Ｓpbのバッファメモリ２への蓄積中は、当該バッファメモリ２における圧縮音楽情報Ｓpbの蓄積量が常に判定されており（ステップＳ５）、その蓄積量が後述する各閾値に達したか否かに応じてプレーヤＰにおけるプレーヤＰにおける音楽情報Ｓpの生成速度（すなわち、音楽の再生速度）を変更させる旨の上記レート制御情報Ｓspを当該プレーヤＰに出力して当該生成速度を制御する。
【００４７】
そして、上記ＨＤへの記録対象となっている全ての音楽について当該記録処理が完了したか否かが確認され（ステップＳ７）、終了しているときは（ステップＳ７；ＹＥＳ）そのまま一連の記録処理を終了し、一方、終了していない音楽があるときは（ステップＳ７；ＮＯ）、再度上記ステップＳ１に戻って次の記録対象である音楽に対して上述してきた処理を繰り返す。
【００４８】
ここで、上述したステップＳ６における生成速度の制御処理と並行して、それまでバッファメモリ２内に蓄積されていた圧縮音楽情報ＳpbのＣＰＵ３を介したＨＤＤ４への転送処理及び当該転送後の圧縮音楽情報ＳpbをＨＤＤ４内のＨＤへ記録する記録処理が実行される。
【００４９】
また、上記レート制御情報Ｓspを受けたプレーヤＰのＣＰＵ１４は、スピンドルモータ１０における回転速度を、そのレート制御情報Ｓspの内容に応じて低減又は増大させることで、上記生成速度を低下又は増大させる制御を、当該レート制御情報Ｓspにより示される転送レートが変更される度に実行することとなる。
【００５０】
次に、上記ステップＳ５における判断基準について、具体的に例示しつつ説明する。
【００５１】
上記ステップＳ５の判定においては、上述したようにバッファメモリ２が、１６ビットの揮発性メモリが１２８段直列に接続された構成となっており、且つ、圧縮処理部１Ａにおける圧縮率が十分の一である場合、例えば、当該バッファメモリ２における第１段目から第３２段目までのいずれかの揮発性メモリにまで上記圧縮音楽情報Ｓpbが蓄積されている場合は、音楽情報Ｓpの生成速度を、それまでの生成速度から光ディスクＤＫの回転速度で（以下、同様）８倍速に相当する生成速度に変更するように（換言すれば、それまでが８倍速で再生されていた場合は速度不変として）プレーヤＰにおける上記生成速度を調整させ（ステップＳ６）、一方、当該バッファメモリ２における第３２段目から第６３段目までのいずれかの揮発性メモリにまで上記圧縮音楽情報Ｓpbが蓄積されている場合は、音楽情報Ｓpの生成速度を、それまでの生成速度から６倍速に相当する生成速度に変更するように（換言すれば、それまでが６倍速で再生されていた場合は速度不変として）プレーヤＰにおける上記生成速度を調整させる（ステップＳ６）。
【００５２】
また、当該バッファメモリ２における第６４段目から第９５段目までのいずれかの揮発性メモリにまで上記圧縮音楽情報Ｓpbが蓄積されている場合は、音楽情報Ｓpの生成速度を、それまでの生成速度から４倍速に相当する生成速度に変更するように（換言すれば、それまでが４倍速で再生されていた場合は速度不変として）プレーヤＰにおける上記生成速度を調整させ（ステップＳ６）、更に当該バッファメモリ２における第９６段目から第１１１段目までのいずれかの揮発性メモリにまで上記圧縮音楽情報Ｓpbが蓄積されている場合は、音楽情報Ｓpの生成速度を、それまでの生成速度から２倍速に相当する生成速度に変更するように（換言すれば、それまでが２倍速で再生されていた場合は速度不変として）プレーヤＰにおける上記生成速度を調整させる（ステップＳ６）。
【００５３】
更に、当該バッファメモリ２における第１１２段目以降のいずれかの揮発性メモリにまで上記圧縮音楽情報Ｓpbが蓄積されている場合は、音楽情報Ｓpの生成速度を、それまでの生成速度から１倍速に相当する生成速度に変更するように（換言すれば、それまでが１倍速で再生されていた場合は速度不変として）プレーヤＰにおける上記生成速度を調整させる（ステップＳ６）。
【００５４】
以上説明したように、実施形態に係る情報記録再生システムＳの動作によれば、バッファメモリ２における蓄積量に応じて、プレーヤＰにおける音楽情報Ｓpの生成速度を制御するので、バッファメモリ２が溢れることが無く、ＨＤへの記録処理を効率的に且つ短時間で完了させることができる。また、プレーヤＰにおける再生速度、レコーダＲにおける圧縮処理速度及びレコーダＲにおけるバッファメモリ２からの読み出し速度等を予め決めておく必要が無いので、情報記録再生システムＳの設計における自由度を向上させることができる。
【００５５】
特に音楽情報ＳpのＨＤへの記録機能を併せ持ったカーナビゲーション装置に適用すれば、それに含まれるＣＰＵが他の処理を実行している場合であっても効率よく音楽情報ＳpをＨＤに記録することが可能となる。
【００５６】
また、光ディスクＤＫの回転速度を変更することにより上記生成速度を変更するので、簡易な構成で当該生成速度を変更することができる。
【００５７】
なお、上述した実施形態においては、プレーヤＰにおける光ディスクＤＫの回転速度を変更することで上記生成速度を制御したが、これ以外に、プレーヤＰ内の復号部１３における復号速度を変更することでも上記生成速度（この場合は、レコーダＲへの音楽情報Ｓpの出力速度）を変更することができる。
【００５８】
この場合は、機械的な構成部分が多いスピンドルモータ１０の回転数を変える必要が無いので、プレーヤＰとしての寿命を延伸させることができる。
【００５９】
また、上述した実施形態では、図４に示すステップＳ５の判断を比例関数的に行ったが、これ以外に、当該判断を指数関数的に行う例として、バッファメモリ２における第１段目から第９６段目までのいずれかの揮発性メモリにまで上記圧縮音楽情報Ｓpbが蓄積されている場合は、音楽情報Ｓpの生成速度を、それまでの生成速度から８倍速に相当する生成速度に変更するように（換言すれば、それまでが８倍速で再生されていた場合は速度不変として）プレーヤＰにおける上記生成速度を調整させ（ステップＳ６）、一方、当該バッファメモリ２における第９７段目以降のいずれかの揮発性メモリにまで上記圧縮音楽情報Ｓpbが蓄積されている場合は、音楽情報Ｓpの生成速度を、それまでの生成速度から一気に１倍速に相当する生成速度に変更するように（換言すれば、それまでが１倍速で再生されていた場合は速度不変として）プレーヤＰにおける上記生成速度を調整させる（ステップＳ６）ように構成しても良い。
【００６０】
更に、上述した実施形態では、光ディスクＤＫに記録されていた音楽をＨＤに記録する場合について説明したが、これ以外に、光ディスクＤＫに記録されていた画像をＨＤに記録する場合に本願を適用することも可能である。
【００６１】
更にまた、光ディスクＤＫではなくＨＤに記録されていた情報を、他のＨＤ又は光ディスクに記録させる場合に本願を適用することも可能である。
【００６２】
更に、ＨＤ等に記録される情報がデジタル情報であってもアナログ情報であっても同様に本願を適用することができる。
【００６３】
更にまた、図４に示すフローチャートに対応するプログラムをフレキシブルディスク又はハードディスク等の情報記録媒体に記録しておき、又はインターネット等のネットワークを介して取得して記録しておき、これらを汎用のコンピュータで読み出して実行することにより、当該コンピュータを実施形態に係るＣＰＵ３として活用することも可能である。
【図面の簡単な説明】
【００６４】
【図１】実施形態に係る情報記録再生システムの概要構成を示すブロック図である。
【図２】実施形態に係るプレーヤの概要構成を示すブロック図である。
【図３】実施形態に係るレコーダの概要構成を示すブロック図である。
【図４】実施形態に係る情報記録処理を示すフローチャートである。
【符号の説明】
【００６５】
１    ＤＳＰ
１Ａ    圧縮処理部
１Ｂ    伸張処理部
２    バッファメモリ
３、１４    ＣＰＵ
４    ＨＤＤ
５    メモリ
６    Ｄ／Ａコンバータ
７    スピーカ
８    操作部
９    ディスプレイ
１０    スピンドルモータ
１１    ピックアップ
１２    増幅部
１３    復号部
１５    サーボ制御部
１６    操作部
１７    ディスプレイ
Ｓ    情報記録再生システム
Ｐ    プレーヤ
Ｒ    レコーダ
Ｂ、Ｃ    バス
ＤＫ    光ディスク
Ｂｍ    光ビーム
【図１】
2007226849.tif 000003
【図２】
2007226849.tif 000004
【図３】
2007226849.tif 000005
【図４】
2007226849.tif 000006